(57)【要約】【課題】周囲で大きな騒音のするような場所での撮影時にも、被写体となる人がシャッター音を容易に聞くことができ撮影が終了した瞬間を確実に確認することができ、また、騒音のあまり無いような場所での撮影時には、騒音の音量に比べてシャッター音の音量の方が大きすぎないようにし、シャッター音が耳障りな音となってしまうことを避ける。【解決手段】騒音レベル測定部１０７は、撮像部１０１ａによる撮影時に周囲騒音の音量レベルを、予め定められた時間間隔で定期的に測定する。制御部１１０ａは、測定された周囲騒音の音量レベルから、予め定められた方法で、シャッターボタン１０２の押下時のシャッター音の音量レベルを算出して記憶部１１１ａに格納し、測定の都度、周囲騒音の音量レベルから算出されたシャッター音の音量レベルの設定値で以前の設定値を更新し、シャッターボタンの押下時に、読み出した設定値の示す音量レベルでシャッター音を鳴動させる。【選択図】      図１
2005084628.tif 000002
【特許請求の範囲】
【請求項１】
撮影場所での周囲騒音の音量レベルを、予め定められた時間間隔で撮影モード状態の間、定期的に測定する手段と、前記周囲騒音の音量レベルの測定の都度、測定された前記周囲騒音の音量レベルに対応してシャッター音の音量レベルの設定を行う、予め定められたシャッター音の音量レベルの設定方法に従って撮影時のシャッター音の音量レベルの設定値を生成し、新たに生成された撮影時のシャッター音の音量レベルの設定値で以前の設定値を更新する第１のシャッター音・音量レベル設定値設定手段と、撮影時に鳴動させる前記シャッター音の音量レベルを、前記第１のシャッター音・音量レベル設定値設定手段によって設定されたシャッター音の音量レベルの前記設定値に基づいて制御する第１のシャッター音・音量レベル制御手段とを備えたことを特徴とするカメラ機能付き携帯端末装置のシャッター音の鳴動方式。
【請求項２】
請求項１記載のカメラ機能付き携帯端末装置のシャッター音の鳴動方式において、被写体との間の距離情報を取得する被写体距離情報取得手段と、取得された前記被写体との間の距離情報に基づいて予め定められた方法で前記被写体距離が大きくなるにつれて前記シャッター音の音量レベルを上げるようにして被写体距離に応じたシャッター音の音量レベルの制御を行う第２のシャッター音・音量レベル制御手段を備え、前記第１のシャッター音・音量レベル制御手段により制御された、前記撮影時に鳴動させる前記シャッター音の音量レベルを、さらに前記第２のシャッター音・音量レベル制御手段により制御することを特徴とするカメラ機能付き携帯端末装置のシャッター音の鳴動方式。
【請求項３】
撮影モード状態にあって、
（Ａ）撮像部が被写体を撮影するために押下されるシャッターボタン、
（Ｂ）前記シャッターボタンが押下されたことを検出するシャッターボタン押下検出部、
（Ｃ）前記シャッターボタンが押下されたことを前記被写体の人間に報知するためのシャッター音を出力するスピーカ、
（Ｄ）周囲騒音を集音して騒音信号を出力するマイク部、
（Ｅ）マイク部を介して外界から集音された周囲騒音の音量レベルを測定する騒音レベル測定部、
（Ｆ）前記騒音レベル測定部によって測定された周囲騒音の音量レベルの値に基づいて生成された、前記周囲騒音の音量レベルに対応して予め定められ前記シャッター音の音量レベルを示したシャッター音レベル設定情報を記憶する記憶部、
を備え、前記シャッターボタン押下検出部がシャッターボタンの押下されたことを検出したときに前記記憶部に記憶された前記シャッター音レベル設定情報に基づいて前記スピーカから出力されるシャッター音の音量レベルの制御を行うことを特徴とするカメラ機能付き携帯端末装置のシャッター音の鳴動方式。
【請求項４】
請求項３記載のカメラ機能付き携帯端末装置のシャッター音の鳴動方式において、前記被写体の人間との間の距離を測定し被写体距離情報を出力する被写体距離情報取得手段を備え、前記シャッター音レベル設定情報に基づき行われる前記スピーカから出力されるシャッター音の音量レベルの制御の他に、前記被写体距離情報に基づいて予め定められた方法で前記被写体距離が大きくなるにつれて前記シャッター音の音量レベルを上げるようにして被写体距離に応じたシャッター音の音量レベルの制御をも併せて行うことを特徴とするカメラ機能付き携帯端末装置のシャッター音の鳴動方式。
【請求項５】
（Ａ）撮影モード状態にあって撮影動作駆動信号を入力して被写体を撮影する撮像部、
（Ｂ）前記撮影モード状態にあって前記撮像部が被写体を撮影し映像信号を出力するように前記撮像部を駆動するために前記撮像部に前記撮影動作駆動信号を出力するシャッターボタン、
（Ｃ）前記撮影モード状態にあって前記シャッターボタンが押下されたことを検出しシャッターボタン押下検出信号を出力するシャッターボタン押下検出部、
（Ｄ）前記撮影モード状態にないときは通話時の音声を入力して音声信号を出力し、前記撮影モード状態にあって周囲騒音を集音して騒音信号を出力するマイク部、
（Ｅ）前記撮影モード状態にあって前記マイク部に接続された状態で、騒音レベル測定時刻指示信号を入力して前記マイク部を介して外界から集音され騒音信号として入力された周囲騒音の音量レベルを測定する騒音レベル測定部、
（Ｆ）前記撮影モード状態にないときは前記マイク部に接続されて前記マイク部から出力された音声信号を入力する音声通話回路、
（Ｇ）前記撮影モード状態にないときは前記マイク部の出力側と前記音声通話回路の入力側とを接続し、前記撮影モード状態にあっては前記マイク部の出力側と前記騒音レベル測定部の入力側とを接続する切替回路、
（Ｈ）前記撮影モード状態にあって前記シャッターボタンが押下されたことを報知するシャッター音を出力するスピーカ、
（Ｉ）前記撮影モード状態にあってシャッター音レベル設定情報により指定された音量レベルで上記シャッター音が鳴動されるように前記スピーカを駆動させるスピーカ駆動回路、（Ｊ）前記撮影モード状態にあって前記騒音レベル測定部に対し、予め定められた一定時間間隔ごとに周囲騒音の音量レベルを、予め定められた一定時間の間継続して測定させるための前記騒音レベル測定時刻指示信号を前記騒音レベル測定部に出力する騒音レベル測定時刻指示部、
（Ｋ）前記騒音レベル測定部によって測定された周囲騒音の音量レベルの値に基づいて生成された、周囲騒音の音量レベルに対応して予め定められた前記シャッター音の音量レベルを示す前記シャッター音レベル設定情報を記憶する記憶部、
（Ｌ）前記撮像部の動作の起動制御、前記撮像部の動作起動時における前記マイク部と前記騒音レベル測定部との接続制御、前記騒音レベル測定部、前記シャッターボタン押下検出部及び前記スピーカ駆動回路のそれぞれの動作の起動制御及び終了制御、前記シャッターボタン押下検出部からシャッターボタン押下検出信号を入力したときにシャッター音レベル設定情報を前記スピーカ駆動回路に出力することによる前記スピーカ駆動回路を介しての前記スピーカの音量制御、前記撮像部により撮影された被写体の画像情報の処理制御、及び前記撮像部の動作の終了時の前記マイク部と前記音声通話回路との接続制御を行う制御部、
を備えたことを特徴とするカメラ機能付き携帯端末装置のシャッター音の鳴動方式。
【請求項６】
請求項５記載のカメラ機能付き携帯端末装置のシャッター音の鳴動方式において、前記撮像部は被写体までの距離情報を取得する距離情報取得手段を有し、前記距離情報取得手段により取得された距離情報に基づいて前記制御部が前記シャッター音量を修正することを特徴とするカメラ機能付き携帯端末装置のシャッター音の鳴動方式。
【請求項７】
請求項５又は６記載のカメラ機能付き携帯端末装置のシャッター音の鳴動方式において、前記制御部は前記被写体が人間でない場合にユーザによって前記シャッター音を出力させないように指示する入力操作が行われたとは前記シャッター音を出力させないように制御することを特徴とするカメラ機能付き携帯端末装置のシャッター音の鳴動方式。
【請求項８】
請求項３、請求項４、請求項５、請求項６又は請求項７記載のカメラ機能付き携帯端末装置のシャッター音の鳴動方式において、前記制御部は前記被写体が人間でない場合にユーザによって前記シャッター音を出力させないように指示する入力操作が行われたとは前記シャッター音を出力させないように制御することを特徴とするカメラ機能付き携帯端末装置のシャッター音の鳴動方式。
【請求項９】
（Ａ）周囲騒音の音量レベルの測定を行う騒音レベル測定ステップ、
（Ｂ）前記測定ステップで測定された前記周囲騒音の音量レベルに基づいて、撮影時にシャッターボタンが押下されたとき鳴動させるシャッター音の音量レベルを算出するシャッター音・音量レベル算出ステップ、
（Ｃ）算出された前記シャッター音の音量レベルを、撮影時にシャッターボタンが押下されたとき鳴動させるシャッター音の音量レベルを示すシャッター音・音量レベル設定値として設定し記憶保持するシャッター音・音量レベル設定ステップ、
（Ｄ）撮影時にシャッターボタンが押下されたとき、記憶保持された前記シャッター音・音量レベル設定値を読み出して前記シャッター音・音量レベル設定値に基づいて前記シャッター音の音量レベルを制御する第１のシャッター音・音量レベル制御ステップ、
を備えたことを特徴とするカメラ機能付き携帯端末装置のシャッター音の鳴動方法。
【請求項１０】
請求項９記載のカメラ機能付き携帯端末装置のシャッター音の鳴動方法において、
（Ｅ）被写体との間の距離を測定し被写体との距離を示す被写体距離情報を出力する被写体距離情報取得ステップ、
（Ｆ）前記被写体距離情報に基づいて、前記シャッター音・音量レベル算出ステップで算出されたシャッター音の音量レベルを、前記被写体との距離に応じて制御して前記シャッター音を鳴動させる第２のシャッター音・音量レベル制御ステップ、
を備えたことを特徴とするカメラ機能付き携帯端末装置のシャッター音の鳴動方法。
【発明の詳細な説明】
【技術分野】
【０００１】
本発明はカメラ機能付き携帯端末装置のシャッター音の鳴動方式及びその方法に関し、特に、周囲で大きな騒音のするような状況のなかで撮影するとき、被写体となる人がシャッター音を容易に聞くことができて撮影が終了したことを容易に確認できるようにしたカメラ機能付き携帯端末装置のシャッター音の鳴動方式及びその方法に関する。
【背景技術】
【０００２】
従来のカメラ機能付き携帯端末装置では、撮影動作が終了したことを示すための信号音を、シャッターボタンを押下したときにシャッター音としてスピーカで鳴動させているので、カメラ機能付き携帯端末装置内では、撮影時にはシャッターボタンが押下されたかどうかが定期的にチェックされて、シャッターボタンが押下されたと判定されるとシャッター音がスピーカで鳴動されるようになっている。また、シャッターボタンが押下されたものと判定されなければ、再度シャッターボタンが押下されたか否かかのチェックが繰り返される。
【０００３】
通常はこのシャッター音を聞くことによって被写体となる人間は撮影が終了したことを容易に確認できるが、周囲の騒音（以降、「周囲騒音」という）の音量が大きいような状況のなかでの撮影の場合は、被写体となる人間がシャッター音を確認することが非常に困難になるときがある。このような場合は、被写体となる人間はシャッター音がよく聞こえず、そのため撮影が終了したことを容易に確認できないことになる。
【０００４】
被写体となっている人間にとっては撮影の瞬間は良い写真が撮れるようにするために身体の姿勢を動かさないように保持しなければならないので、多少の緊張感を感じるような状態にある。従って、シャッター音を聞くことによって、それまでの撮影のための緊張感から開放され、また身体の姿勢を保持するような状態からも開放されるので、シャッター音の聞こえる瞬間がいつなのかを知ることは、被写体となっている人間にとっては重要なことである。
【０００５】
すなわち、被写体となる人間がシャッター音を容易に確認することが出来ない状況の中で撮影が行われるような場合には、被写体となっている人間は非常に不便さを感じることになる。このため、たとえ周囲騒音の音量が大きい状況の中にあっても容易にシャッター音が聞こえるようになり確実に撮影終了を知ることができるようなカメラ機能付き携帯端末装置が強く求められていた。
【０００６】
上記のように、カメラ機能付き携帯端末装置では、撮影時に周囲騒音がシャッター音を聞こえ難くして撮影の邪魔をするという問題を有している状況にあるが、一般的に携帯端末装置の着信音の音量の場合についても、携帯端末装置の着信音が周囲騒音のために聞き取り難くなるという、シャッター音の問題と似たような問題を抱えていた。
【０００７】
この携帯端末装置における着信音の音量の場合には、上記問題を解決するための技術として、特開平４−２７１６１９号公報にも示されるように、周囲騒音をマイクロホンを介して入力し、周囲騒音の音量のレベル（以降、「音量レベル」という）を検出し、周囲騒音の音量レベルに応じて電子ボリュームの設定値を制御して、周囲騒音と判別容易な着信音を鳴動させるために、着信音の音量レベルを周囲騒音の音量レベルに応じて自動的に可変制御することができるように構成された移動無線機の着信音制御方式の技術が開発されている。
【０００８】
しかし、カメラ機能付き携帯端末装置のカメラ機能を使用する際に生じる上記のシャッター音の問題を解決するための技術についてはこれまで開発されてこなかった。
【０００９】
また、カメラ機能付き携帯端末装置には、カメラ機能を使用する際に生じる問題として、上記の問題の他に、次のような問題があった。すなわち、従来のカメラ機能付き携帯端末装置の場合、上記の問題と同様な問題ではあるが、騒音が殆ど無いような場所で撮影するときでもシャッター音の音量は変わらず、この場合は騒音の音量に比べてシャッター音の音量の方が大きすぎるために周囲の静かさの中でシャッター音が非常に耳障りな音となってしまうという問題もあった。
【００１０】
【特許文献１】特開平４−２７１６１９号公報  （第２頁−第３頁、図１−図３）
【発明の開示】
【発明が解決しようとする課題】
【００１１】
上述した従来のカメラ機能付き携帯端末装置のシャッター音の鳴動方式では、周囲で大きな騒音のするような場所で撮影する場合、被写体となる人間がシャッター音を確認することが非常に困難なときがあるが、このような場合、被写体となる人間はシャッターボタンが押下され撮影が終了したことを容易に確認できず非常に不便であるという欠点を有していた。
【００１２】
また、騒音のあまり無いような場所で撮影するときでもシャッター音の音量は変わらず、このような場合は騒音の音量に比べてシャッター音の音量の方が大きすぎるために周囲の静かさの中でシャッター音が耳障りな音となってしまうという欠点を有していた。
【００１３】
本発明の第１の目的は、周囲で大きな騒音のするような場所での撮影時にも、被写体となる人がシャッター音を容易に聞くことができて撮影が終了した瞬間を確実に確認することができるカメラ機能付き携帯端末装置のシャッター音の鳴動方式及びその方法を提供することにある。
【００１４】
また、本発明の第２の目的は、騒音のあまり無いような場所での撮影時には、騒音の音量に比べてシャッター音の音量の方が大きすぎるような状況になることを防ぎ、周囲の静かさの中でシャッター音が耳障りな音となってしまうことを避けることができるカメラ機能付き携帯端末装置のシャッター音の鳴動方式及びその方法を提供することにある。
【課題を解決するための手段】
【００１５】
第１の発明のカメラ機能付き携帯端末装置のシャッター音の鳴動方式は、撮影場所での周囲騒音の音量レベルを、予め定められた時間間隔で撮影モード状態の間、定期的に測定する手段と、前記周囲騒音の音量レベルの測定の都度、測定された前記周囲騒音の音量レベルに対応してシャッター音の音量レベルの設定を行う、予め定められたシャッター音の音量レベルの設定方法に従って撮影時のシャッター音の音量レベルの設定値を生成し、新たに生成された撮影時のシャッター音の音量レベルの設定値で以前の設定値を更新する第１のシャッター音・音量レベル設定値設定手段と、撮影時に鳴動させる前記シャッター音の音量レベルを、前記第１のシャッター音・音量レベル設定値設定手段によって設定されたシャッター音の音量レベルの前記設定値に基づいて制御する第１のシャッター音・音量レベル制御手段とを備えたことを特徴として構成される。
【００１６】
また、第２の発明のカメラ機能付き携帯端末のシャッター音の鳴動方式は、第１の発明のカメラ機能付き携帯端末装置のシャッター音の鳴動方式において、被写体との間の距離情報を取得する被写体距離情報取得手段と、取得された前記被写体との間の距離情報に基づいて予め定められた方法で前記被写体距離が大きくなるにつれて前記シャッター音の音量レベルを上げるようにして被写体距離に応じたシャッター音の音量レベルの制御を行う第２のシャッター音・音量レベル制御手段を備え、前記第１のシャッター音・音量レベル制御手段により制御された、前記撮影時に鳴動させる前記シャッター音の音量レベルを、さらに前記第２のシャッター音・音量レベル制御手段により制御することを特徴として構成される。
【００１７】
また、第３の発明のカメラ機能付き携帯端末のシャッター音の鳴動方式は、撮影モード状態にあって、
（Ａ）撮像部が被写体を撮影するために押下されるシャッターボタン、
（Ｂ）前記シャッターボタンが押下されたことを検出するシャッターボタン押下検出部、（Ｃ）前記シャッターボタンが押下されたことを前記被写体の人間に報知するためのシャッター音を出力するスピーカ、
（Ｄ）周囲騒音を集音して騒音信号を出力するマイク部、
（Ｅ）マイク部を介して外界から集音された周囲騒音の音量レベルを測定する騒音レベル測定部、
（Ｆ）前記騒音レベル測定部によって測定された周囲騒音の音量レベルの値に基づいて生成された、前記周囲騒音の音量レベルに対応して予め定められ前記シャッター音の音量レベルを示したシャッター音レベル設定情報を記憶する記憶部、
を備え、前記シャッターボタン押下検出部がシャッターボタンの押下されたことを検出したときに前記記憶部に記憶された前記シャッター音レベル設定情報に基づいて前記スピーカから出力されるシャッター音の音量レベルの制御を行うことを特徴として構成される。
【００１８】
また、第４の発明のカメラ機能付き携帯端末のシャッター音の鳴動方式は、第３の発明のカメラ機能付き携帯端末装置のシャッター音の鳴動方式において、前記被写体の人間との間の距離を測定し被写体距離情報を出力する被写体距離情報取得手段を備え、前記シャッター音レベル設定情報に基づき行われる前記スピーカから出力されるシャッター音の音量レベルの制御の他に、前記被写体距離情報に基づいて予め定められた方法で前記被写体距離が大きくなるにつれて前記シャッター音の音量レベルを上げるようにして被写体距離に応じたシャッター音の音量レベルの制御をも併せて行うことを特徴として構成される。
【００１９】
また、第５の発明のカメラ機能付き携帯端末のシャッター音の鳴動方式は、
（Ａ）撮影モード状態にあって撮影動作駆動信号を入力して被写体を撮影する撮像部、
（Ｂ）前記撮影モード状態にあって前記撮像部が被写体を撮影し映像信号を出力するように前記撮像部を駆動するために前記撮像部に前記撮影動作駆動信号を出力するシャッターボタン、
（Ｃ）前記撮影モード状態にあって前記シャッターボタンが押下されたことを検出しシャッターボタン押下検出信号を出力するシャッターボタン押下検出部、
（Ｄ）前記撮影モード状態にないときは通話時の音声を入力して音声信号を出力し、前記撮影モード状態にあって周囲騒音を集音して騒音信号を出力するマイク部、
（Ｅ）前記撮影モード状態にあって前記マイク部に接続された状態で、騒音レベル測定時刻指示信号を入力して前記マイク部を介して外界から集音され騒音信号として入力された周囲騒音の音量レベルを測定する騒音レベル測定部、
（Ｆ）前記撮影モード状態にないときは前記マイク部に接続されて前記マイク部から出力された音声信号を入力する音声通話回路、
（Ｇ）前記撮影モード状態にないときは前記マイク部の出力側と前記音声通話回路の入力側とを接続し、前記撮影モード状態にあっては前記マイク部の出力側と前記騒音レベル測定部の入力側とを接続する切替回路、
（Ｈ）前記撮影モード状態にあって前記シャッターボタンが押下されたことを報知するシャッター音を出力するスピーカ、
（Ｉ）前記撮影モード状態にあってシャッター音レベル設定情報により指定された音量レベルで上記シャッター音が鳴動されるように前記スピーカを駆動させるスピーカ駆動回路、（Ｊ）前記撮影モード状態にあって前記騒音レベル測定部に対し、予め定められた一定時間間隔ごとに周囲騒音の音量レベルを、予め定められた一定時間の間継続して測定させるための前記騒音レベル測定時刻指示信号を前記騒音レベル測定部に出力する騒音レベル測定時刻指示部、
（Ｋ）前記騒音レベル測定部によって測定された周囲騒音の音量レベルの値に基づいて生成された、周囲騒音の音量レベルに対応して予め定められた前記シャッター音の音量レベルを示す前記シャッター音レベル設定情報を記憶する記憶部、
（Ｌ）前記撮像部の動作の起動制御、前記撮像部の動作起動時における前記マイク部と前記騒音レベル測定部との接続制御、前記騒音レベル測定部、前記シャッターボタン押下検出部及び前記スピーカ駆動回路のそれぞれの動作の起動制御及び終了制御、前記シャッターボタン押下検出部からシャッターボタン押下検出信号を入力したときにシャッター音レベル設定情報を前記スピーカ駆動回路に出力することによる前記スピーカ駆動回路を介しての前記スピーカの音量制御、前記撮像部により撮影された被写体の画像情報の処理制御、及び前記撮像部の動作の終了時の前記マイク部と前記音声通話回路との接続制御を行う制御部、
を備えたことを特徴として構成される。
【００２０】
また、第６の発明のカメラ機能付き携帯端末のシャッター音の鳴動方式は、第５の発明のカメラ機能付き携帯端末装置のシャッター音の鳴動方式において、前記撮像部は被写体までの距離情報を取得する距離情報取得手段を有し、前記距離情報取得手段により取得された距離情報に基づいて前記制御部が前記シャッター音量を修正することを特徴として構成される。
【００２１】
また、第７の発明のカメラ機能付き携帯端末のシャッター音の鳴動方式は、第５又は第６の発明のカメラ機能付き携帯端末装置のシャッター音の鳴動方式において、前記制御部は前記被写体が人間でない場合にユーザによって前記シャッター音を出力させないように指示する入力操作が行われたとは前記シャッター音を出力させないように制御することを特徴として構成される。
【００２２】
また、第８の発明のカメラ機能付き携帯端末のシャッター音の鳴動方式は、第３、第４、第５、第６又は第７のカメラ機能付き携帯端末装置のシャッター音の鳴動方式において、前記制御部は前記被写体が人間でない場合にユーザによって前記シャッター音を出力させないように指示する入力操作が行われたとは前記シャッター音を出力させないように制御することを特徴として構成される。
【００２３】
また、第９の発明のカメラ機能付き携帯端末のシャッター音の鳴動方法は、
（Ａ）周囲騒音の音量レベルの測定を行う騒音レベル測定ステップ、
（Ｂ）前記測定ステップで測定された前記周囲騒音の音量レベルに基づいて、撮影時にシャッターボタンが押下されたとき鳴動させるシャッター音の音量レベルを算出するシャッター音・音量レベル算出ステップ、
（Ｃ）算出された前記シャッター音の音量レベルを、撮影時にシャッターボタンが押下されたとき鳴動させるシャッター音の音量レベルを示すシャッター音・音量レベル設定値として設定し記憶保持するシャッター音・音量レベル設定ステップ、
（Ｄ）撮影時にシャッターボタンが押下されたとき、記憶保持された前記シャッター音・音量レベル設定値を読み出して前記シャッター音・音量レベル設定値に基づいて前記シャッター音の音量レベルを制御する第１のシャッター音・音量レベル制御ステップ、
を備えたことを特徴として構成される。
【００２４】
また、第１０の発明のカメラ機能付き携帯端末のシャッター音の鳴動方法は、第９のカメラ機能付き携帯端末装置のシャッター音の鳴動方法において、
（Ｅ）被写体との間の距離を測定し被写体との距離を示す被写体距離情報を出力する被写体距離情報取得ステップ、
（Ｆ）前記被写体距離情報に基づいて、前記シャッター音・音量レベル算出ステップで算出されたシャッター音の音量レベルを、前記被写体との距離に応じて制御して前記シャッター音を鳴動させる第２のシャッター音・音量レベル制御ステップ、
を備えたことを特徴として構成される。
【発明の効果】
【００２５】
以上説明したように、本発明のカメラ機能付き携帯端末装置のシャッター音の鳴動方式及びその方法は、周囲騒音の音量レベルを測定し、測定で得られた結果に基づいて、周囲騒音の音量レベルが日常的な騒音より大きい場合は、撮影が終了したことを報知するためのシャッター音の音量レベルを予め定められた方法で周囲騒音の音量レベルよりさらに大きな音量レベルになるように自動的に制御しスピーカを鳴動させることができるように構成することにより、周囲で大きな騒音がするような場所での撮影時にも被写体となる人間が上記シャッター音を容易に聞くことができ、撮影が終了した瞬間を確実に確認することができるという効果を有している。
【００２６】
また、周囲騒音の音量レベルを測定し測定で得られた結果に基づいて、周囲騒音の音量レベルが日常的な騒音より小さい場合には、撮影が終了したことを報知するためのシャッター音の音量レベルを、周囲騒音の音量レベルを考慮して予め定められた方法であまり大きくなり過ぎないように自動的に制御しシャッター音の音量を下げてスピーカを鳴動させることができるように構成することにより、周囲で騒音のあまり無いような場所での撮影時には、騒音の音量に比べてシャッター音の音量の方が大きすぎるような状況になることを防いで、シャッター音の音量をその場所に相応しい静かな音量になるようにし、周囲の静かさの中でシャッター音が耳障りな音となってしまうことを避けることができるという効果を有している。
【発明を実施するための最良の形態】
【００２７】
次に、本発明の実施の形態について説明する。
【００２８】
本発明のカメラ機能付き携帯端末装置のシャッター音の鳴動方式及びその方法におけるカメラ機能付き携帯端末装置は、撮影場所での周囲騒音の音量レベルを、予め定められた時間間隔で撮影モード状態の間、定期的に測定する手段と、周囲騒音の音量レベルの測定の都度、測定された周囲騒音の音量レベルに応じて、予め定められたシャッター音の音量レベルの設定方法に従ってシャッター音の音量レベルの設定値を生成し、新たに生成されたシャッター音の音量レベルの設定値で以前の設定値を順次更新するシャッター音・音量レベル設定手段と、撮影時に鳴動させるシャッター音の音量レベルを、第１のシャッター音・音量レベル設定手段によって設定されたシャッター音の音量レベルの上記設定値に基づいて自動的に制御する第１の制御手段とを備えて構成される。
【００２９】
本発明のカメラ機能付き携帯端末装置のシャッター音の鳴動方式及びその方法におけるカメラ機能付き携帯端末装置は上記のように構成されることにより、周囲で大きな騒音がするような場所での撮影時にも被写体となる人間が上記シャッター音を容易に聞くことができ撮影が終了した瞬間を確実に確認することができる。
【００３０】
また、同じ構成で、周囲で騒音のあまり無いような場所での撮影時には騒音の音量に比べてシャッター音の音量の方が大きすぎるような状況になることを防ぎ、シャッター音の音量をその場所に相応しい静かな音量になるようにして、周囲の静かさの中でシャッター音が耳障りな音となってしまうことを避けることができる。
【００３１】
さらに、本発明のカメラ機能付き携帯端末装置のシャッター音の鳴動方式及びその方法におけるカメラ機能付き携帯端末装置は、上記の構成に加えてさらに、撮影時に取得した被写体との間の距離情報に基づいて、カメラ機能付き携帯端末装置から離れている被写体の人間に対するシャッター音の音量レベルを、カメラ機能付き携帯端末装置に近い被写体の人間に対するシャッター音の音量レベルより大きく設定できるようにするために、被写体との間の距離情報を取得する手段と、取得された被写体との間の距離情報に基づいて被写体距離が大きくなるにつれてシャッター音の音量レベルを上げるようにして被写体距離に応じたシャッター音の音量レベルを自動的に制御する第２の制御手段とを備えて構成されることにより、測定された周囲騒音の音量レベルに対応して、予め定められたシャッター音の音量レベルの上記設定方法に従って撮影時のシャッター音の音量レベルの設定を行い、さらに、被写体との間の距離に応じたシャッター音の音量レベルの制御を行うことができ、測定された周囲騒音の音量レベルの値が同じ値の場合であっても、被写体との間の距離が大きく、カメラ機能付き携帯端末装置から離れている場合の被写体の人間に対するシャッター音の音量レベルを、カメラ機能付き携帯端末装置に近い場合の被写体の人間に対するシャッター音の音量レベルより大きく設定することができる。
【実施例１】
【００３２】
次に、本発明の実施例について図面を参照して説明する。実施例１では、予め定められたシャッター音の音量レベルの設定方法に従って、測定された周囲騒音の音量レベルに応じて撮影時のシャッター音の音量レベルを設定する場合について説明する。
【００３３】
本発明のカメラ機能付き携帯端末装置のシャッター音の鳴動方式及びその方法におけるカメラ機能付き携帯端末装置は撮影モードを有し、カメラ機能付き携帯端末装置はこの撮影モードにおいてカメラ機能を構成する各部を作動させるように構成される。
【００３４】
図１は、本発明のカメラ機能付き携帯端末装置のシャッター音の鳴動方式及びその方法の実施例１の場合の装置構成を示すブロック図である。
【００３５】
図１に示す本発明のカメラ機能付き携帯端末装置のシャッター音の鳴動方式及びその方法におけるカメラ機能付き携帯端末装置は、撮影モード状態にあって被写体を撮影し撮影された影像信号１２３を出力する撮像部１０１ａと、撮影モード状態にあって撮像部１０１ａによる被写体の撮影のために押下され、押下されたときシャッターボタン押下信号１２０を出力するシャッターボタン１０２と、撮影モード状態にあってシャッターボタン１０２が押下されたことを示すシャッターボタン押下信号１２０を検出してシャッターボタン押下検出信号１２１を出力するシャッターボタン押下検出部１０３と、撮影モード状態にないときは通話時の音声を入力して音声信号１２４を出力し、撮影モード状態にあっては周囲騒音を集音して騒音信号１２５を出力するマイク部１０４と、撮影モード状態にあってマイク部１０４に接続された状態でマイク部１０４から出力された騒音信号１２５を入力して、騒音信号１２５に含まれる外界から集音された周囲騒音の音量レベルを測定し測定騒音レベル情報１２６を出力する騒音レベル測定部１０７と、撮影モード状態にないときはマイク部１０４に接続され、マイク部１０４から出力された音声信号１２４を入力する音声通話回路１０６と、後述する制御部１１０ａからの切替接続制御信号１３２を入力して、撮影モード状態にないときはマイク部１０４の出力側と音声通話回路１０６の入力側とを接続し、撮影モード状態にあってはマイク部１０４の出力側と騒音レベル測定部１０７の入力側とを接続する切替回路１０５と、撮影モード状態にあってシャッターボタン１０２が押下されたことを報知するためのシャッター音を鳴動するスピーカ１０８と、撮影モード状態にあって音量レベル指定信号１３０により指定された音量レベルで上記シャッター音が鳴動されるようにスピーカ１０８を駆動させるスピーカ駆動回路１０９と、騒音レベル測定部１０７によって測定された周囲騒音の音量レベルの値に基づきシャッター音の音量レベルとして設定されたシャッター音レベル設定情報１２７を記憶する記憶部１１１と、撮影モード状態にあって撮像部１０１ａの動作の起動制御及び終了制御、マイク部１０４と騒音レベル測定部１０７との接続制御、騒音レベル測定部１０７、シャッターボタン押下検出部１０３及びスピーカ駆動回路１０９のそれぞれの起動制御及び終了制御、上記シャッター音の音量レベルを示すシャッター音の音量レベルの設定を上記設定方法により行うシャッター音の音量レベルの設定処理、シャッターボタン押下検出部１０３からシャッターボタン押下検出信号１２１を入力したときにシャッター音レベル設定情報１２７に基づいて生成された音量レベル指定信号１３０をスピーカ駆動回路１０９に出力することによるスピーカ駆動回路１０９を介してのスピーカ１０８の音量制御、撮像部１０１ａにより撮影された被写体の画像情報の処理制御、及び撮影モード状態の終了時におけるマイク部１０４と音声通話回路１０６との接続制御を行う制御部１１０ａと、カメラ機能付き携帯端末装置の動作モードを撮影モード状態にするための操作入力をおこない、また設定されたシャッター音の音量レベルを表示するための操作表示部１１３とから構成される。
【００３６】
また、制御部１１０ａは、撮影モード状態にあって、騒音レベル測定部１０７に対し周囲騒音の音量レベルを測定する時刻になったことを知らせる騒音レベル測定時刻指示情報を、予め定められた一定時間間隔ごとに出力する騒音レベル測定時刻指示手段１１２を備えて構成される。
【００３７】
次に、本発明のカメラ機能付き携帯端末装置のシャッター音の鳴動方式及びその方法におけるカメラ機能付き携帯端末装置の撮影モード時の全体の動作説明の前に、測定された騒音レベルのランク付け、及びこの騒音レベルのランク付けの判定結果に基づいて行われる、シャッター音の音量レベルの設定値を決定する手順について説明する。
【００３８】
最初に騒音レベルのランク付けについて説明する。
【００３９】
図５は、図１に示す本発明のカメラ機能付き携帯端末装置のシャッター音の鳴動方式及びその方法における騒音レベルのランク付けの一例を示す説明図である。
【００４０】
図５に示すように、ここでは、騒音レベルのランク付けの一例として騒音レベルを「レベル１」から「レベル５」までの５段階に区分する場合を例に説明する。
【００４１】
はじめに５段階に区分された騒音の各段階のそれぞれの騒音の音量の程度について説明すると、「レベル１」の騒音状態は、騒音が何も聞こえないような場合で、例えて言えば深山の夜のような静けさの状態の場合であり、次に、「レベル２」の騒音状態はささやき声が聞こえる程度の静かな状態の場合とし、また、「レベル３」の騒音状態は普通の声やテレビの音あるいはラジオの音が聞こえるなどの日常的騒音があるような状態の場合であり、さらに、「レベル４」の騒音状態は子供の泣き声が聞こえるなどの少々うるさく感じられるような騒音の状態の場合で、「レベル５」の騒音状態はピアノの音や電車内で感じられる車両の発生する騒音や乗客の話声に満ちた騒音がかなりうるさく感じられるような状態の場合とする。
【００４２】
上記の５段階に区分された騒音の各段階を区分する騒音レベルのｄＢ（デシベル）値として、ここでは、「レベル１」の段階と「レベル２」の段階とを区分する騒音レベルを「Ａ」ｄＢとし、「レベル２」の段階と「レベル３」の段階とを区分する騒音レベルを「Ｂ」ｄＢ、「レベル３」の段階と「レベル４」の段階とを区分する騒音レベルを「Ｃ」ｄＢ、「レベル３」の段階と「レベル４」の段階とを区分する騒音レベルを「Ｄ」ｄＢとすると、「レベル１」から「レベル５」までの５段階の各段階の関係は、下記のようになる。
【００４３】
すなわち、「レベル１」の段階は騒音レベルが「Ａ」ｄＢ未満であり、「レベル２」の段階は「Ａ」ｄＢ以上ＢｄＢ未満、「レベル３」の段階は「Ｂ」ｄＢ以上「Ｃ」ｄＢ未満、「レベル４」の段階は「Ｃ」ｄＢ以上「Ｄ」ｄＢ未満、「レベル５」の段階は「Ｄ」ｄＢ以上となる。
【００４４】
なお、上記「Ａ」ｄＢ〜「Ｄ」ｄＢのそれぞれの値は、先に述べた騒音の各段階の騒音のそれぞれを区分するのに適したデシベル値を設定するようにすればよく、このデシベル値の設定については、本発明の核心に関するものではないのでここでは説明を省略する。
【００４５】
次に、測定された騒音レベルが、「レベル１」から「レベル５」までの５段階における何れの段階に該当するかによってシャッター音の音量レベルの設定値が決められるが、この騒音レベルの段階が決まったときの、設定されるシャッター音の音量レベルの設定の方法は次のように行われる。
【００４６】
測定された周囲騒音の音量レベルが「レベル１」の段階の場合、デシベル値で表した周囲騒音の音量レベルの値に１０ｄＢを加えた値をシャッター音の音量レベルの設定値とする。また、騒音の音量が「レベル２」の段階の場合、デシベル値で表した周囲騒音の音量レベルの値に１５ｄＢを加えた値をシャッター音の音量レベルの設定値とする。以下同様に、騒音の音量が「レベル３」の段階の場合、周囲騒音の音量レベルの値に２０ｄＢを加えた値をシャッター音の音量レベルの設定値とし、騒音の音量が「レベル４」の段階の場合、周囲騒音の音量レベルの値に２５ｄＢを加えた値をシャッター音の音量レベルの設定値とし、さらに、騒音の音量が「レベル５」の段階の場合、周囲騒音の音量レベルの値に３０ｄＢを加えた値をシャッター音の音量レベルの設定値とする。
【００４７】
なお、上記の説明では、デシベル値で表した周囲騒音の音量レベルの値に、１０ｄＢ、１５ｄＢ、２０ｄＢ、２５ｄＢまたは３０ｄＢを加えた値をシャッター音の音量レベルの設定値とすることで説明したが、これらの値は一例として挙げた値であり上記の値に限定するものではない。
【００４８】
次に、図６を参照して、測定された周囲騒音の音量レベルが上記５段階における何れのレベルの状態にあるかを判定し、その判定結果に基づいてシャッター音の音量レベルの設定値を決定する手順を説明する。
【００４９】
図６は、本発明のカメラ機能付き携帯端末装置のシャッター音の鳴動方式及びその方法におけるカメラ機能付き携帯端末装置において、測定された周囲騒音の音量レベルに基づいてシャッター音の音量レベルの設定値を決める手順動作の一例を示す流れ図である。
【００５０】
制御部１１０ａは騒音レベル測定部１０７によって測定された周囲騒音の音量レベルは「Ａ」ｄＢ未満であるか否かを調べ（Ｓ２１）（流れ図において、「Ｓ」はステップを意味する）、「Ａ」ｄＢ未満であると判定された場合は、デシベル値で表した周囲騒音の音量レベルの値に１０ｄＢを加えた値をシャッター音の音量レベルの設定値とする（Ｓ２２）。
【００５１】
また、ステップＳ２１で、測定された周囲騒音の音量レベルは「Ａ」ｄＢ未満でないと判定された場合、すなわち「Ａ」ｄＢかまたは「Ａ」ｄＢを超えていると判定された場合は、さらに、測定された周囲騒音の音量レベルは「Ｂ」ｄＢ未満であるか否かを調べ（Ｓ２３）、「Ｂ」ｄＢ未満であると判定された場合は、デシベル値で表した周囲騒音の音量レベルの値に１５ｄＢを加えた値をシャッター音の音量レベルの設定値とする（Ｓ２４）。
【００５２】
また、ステップＳ２３で、測定された周囲騒音の音量レベルは「Ｂ」ｄＢ未満でないと判定された場合、すなわち「Ｂ」ｄＢかまたは「Ｂ」ｄＢを超えていると判定された場合は、さらに測定された周囲騒音の音量レベルは「Ｃ」ｄＢ未満であるか否かを調べ（Ｓ２５）、「Ｃ」ｄＢ未満であると判定された場合は、デシベル値で表した周囲騒音の音量レベルの値に２０ｄＢを加えた値をシャッター音の音量レベルの設定値とする（Ｓ２６）。
【００５３】
また、ステップＳ２５で、測定された周囲騒音の音量レベルは「Ｃ」ｄＢ未満でないと判定された場合、すなわち「Ｃ」ｄＢかまたは「Ｃ」ｄＢを超えていると判定された場合は、さらに測定された周囲騒音の音量レベルは「D」ｄＢ未満であるか否かを調べ（Ｓ２７）、「Ｄ」ｄＢ未満であると判定された場合は、デシベル値で表した周囲騒音の音量レベルの値に２５ｄＢを加えた値をシャッター音の音量レベルの設定値とする（Ｓ２８）。
【００５４】
また、ステップＳ２７で、測定された周囲騒音の音量レベルは「Ｄ」ｄＢ未満でないと判定された場合、すなわち「Ｄ」ｄＢかまたは「Ｄ」ｄＢを超えていると判定された場合は、デシベル値で表した周囲騒音の音量レベルの値に３０ｄＢを加えた値をシャッター音の音量レベルの設定値とする（Ｓ２９）。
【００５５】
次に、図３及び図４を参照して、本発明のカメラ機能付き携帯端末装置のシャッター音の鳴動方式及びその方法における撮影モード時の全体の動作を説明する。
【００５６】
図３は、図４とともに、図１に示す本発明のカメラ機能付き携帯端末装置のシャッター音の鳴動方式及びその方法における動作の一例を示す流れ図である。
【００５７】
図１において、携帯端末装置の動作モードを撮影モード状態にするための操作入力が操作表示部１１３から行われると（Ｓ１）、制御部１１０aは、撮像部１０１ａが被写体を撮影し映像信号を出力するようにするため、撮像部１０１ａを駆動するための撮影動作駆動信号１２２を撮像部１０１ａに出力して撮像部１０１ａの起動制御を行うとともに、マイク部１０４の出力側と騒音レベル測定部１０７の入力側とを接続するよう切替部１０５に切替接続制御信号１３１を出力して切替回路１０５を制御し、制御部１１０aにより制御された切替部１０５によってマイク部１０４と騒音レベル測定部１０７との接続制御が行われる。
【００５８】
さらに、制御部１１０ａは、シャッターボタン１０２、シャッターボタン押下検出部１０３、騒音レベル測定部１０７及びスピーカ駆動回路１０９のそれぞれの動作の起動制御を行うとともに、自分が内蔵している騒音レベル測定時刻指示手段１１２も起動させる。
【００５９】
すなわち、制御部１１０ａが撮像部１０１ａの他に、上記の各部を起動させてカメラ機能の起動制御を行い、カメラ機能付き携帯端末装置内の動作モードが通話機能モードから撮影モードへと切り替えられる（Ｓ２）。
【００６０】
上記のように制御部１１０ａによる上記の各部が起動によって撮影モードへの切り替わりが行われた後、撮像部１０１ａによる撮影時に必要な望遠のズーム比の設定あるいは自動シャッターのタイマー時間の設定などの各種の設定項目の設定の操作入力がユーザによって行われて（Ｓ３）、これらの設定操作入力が完了すると、騒音レベル測定時刻指示手段１１２からの、騒音レベル測定時刻になったことを知らせる騒音レベル測定時刻指示情報に基づいて、制御部１１０ａは騒音レベル測定指示信号１３１を騒音レベル測定部１０７に出力し、騒音レベル測定部１０７による騒音信号の音量レベルの測定が行われる。騒音レベル測定時刻指示情報は騒音レベル測定時刻指示手段１１２から予め定められた時間間隔で定期的に出力されるので、その都度、騒音レベル測定部１０７はマイク部１０４より入力した常に最新の騒音信号の音量レベルを測定し、測定によって得られた周囲騒音の音量レベルの値を測定結果として制御部１１０ａへ通知する（Ｓ４）。
【００６１】
制御部１１０ａは、騒音レベル測定部１０７より通知された周囲騒音の音量レベルが、「レベル１」から「レベル５」までの５段階における何れのレベルであるかを調べ、周囲騒音の音量レベルが例えば、「Ｃ」ｄＢ以上でかつ「Ｄ」ｄＢ未満であるとすると、図５に示すように、「レベル４」に該当することから、周囲騒音の音量レベルは「レベル４」であるものと判定し、図６に示すように、制御部１１０ａは、上記周囲騒音の音量レベルのデシベル値に対して、２５ｄＢを加算してシャッター音の音量レベル値を算出し（Ｓ５）、算出された最新のシャッター音の音量レベル値をもってシャッター音の音量レベル値として設定し記憶部１１１に最新のシャッター音レベル設定情報１２７として格納し、それまで格納されていた旧いシャッター音レベル設定情報１２７を更新するとともに、更新された新たなシャッター音レベルを操作表示部１１３に表示する（Ｓ６）。
【００６２】
上記の周囲騒音の音量レベルの「レベル４」は図５に示すように人間が「うるさい」と感じる騒音であり、この「うるさい」と感じる騒音よりさらに２５ｄＢ音量が大きい音量のシャッター音レベルがシャッター音レベル設定情報１２７として設定され記憶部１１１に格納されることになる。
【００６３】
一方、シャッターボタン押下検出部１０３は、シャッターボタン１０２が押下されたか否かを調べ（Ｓ７）、シャッターボタン１０２が押下されたとき、シャッターボタン１０２が押下されたことを検出すると、このことを制御部１１０ａに通知する。シャッターボタン１０２が押下されたことの通知を受けた制御部１１０ａは、記憶部１１１に記憶されていたシャッター音レベル設定情報１２７を読み出して音量レベル指定信号１３０としてスピーカ駆動回路１０９へ通知する。スピーカ鳴動の通知を受けたスピーカ駆動回路１０９は、音量レベル指定信号１３０に指定された指定されたシャッター音量でスピーカ１０８を鳴動させる（Ｓ８）。上述したように、このときのシャッター音量は、周囲騒音の音量レベルよりも２５ｄＢも音量が大きく鳴動されるので、被写体の人間はシャッター音を十分聞くことができることになる。
【００６４】
なお、ステップＳ７でシャッターボタン１０２が押下されていなかった場合は、次に、制御部１１０ａは、撮影モードのオフ操作が行われたか否かを調べ（図４のＳ９）、このときもしも撮影モードのオフ操作が行われていた場合は、制御部１１０ａはカメラ機能部の作動状態を停止させる（Ｓ１０）。
【００６５】
また、ステップＳ９で撮影モードのオフ操作が行われていない場合は、制御部１１０ａは、騒音レベル測定部１０７に対し周囲騒音の音量レベルを測定する時刻になったことを知らせる騒音レベル測定時刻指示情報が騒音レベル測定時刻指示手段１１２から出力されたか否かを調べ（Ｓ１１）、ステップＳ１１で騒音レベル測定時刻指示情報が騒音レベル測定時刻指示手段１１２から出力されていたときは、制御部１１０ａの動作はステップＳ４へ戻り、このときも制御部１１０ａは騒音レベル測定指示信号１３１を騒音レベル測定部１０７へ出力して騒音レベルの測定を指示する。制御部１１０ａから出力された騒音レベル測定指示信号１３１に基づき騒音レベル測定部１０７は騒音レベルの測定を行う。
【００６６】
また、制御部１１０ａは、ステップＳ１１で騒音レベル測定時刻指示情報が騒音レベル測定時刻指示手段１１２から出力されていなかったときは、ステップＳ７に戻る。
【００６７】
なお、上記の騒音レベル測定時刻指示手段１１２から出力され周囲騒音の音量レベルを測定する時刻になったことを知らせる騒音レベル測定時刻指示情報は、予め定められた一定時間間隔ごとに出力される。
【００６８】
このように、本発明での撮像部付き携帯端末機は、撮像部１０１ａが作動状態にあった場合に、マイク部１０４を介して予めさだめられた一定時間間隔で常に最新の周囲騒音の音量レベルを測定し続け、シャッターボタン１０２がいつ押下されても撮影場所の騒音レベルが音量の大きいレベルであってもその騒音の音量に負けない音量のシャッター音をスピーカ１０８で鳴動させることができる。
【００６９】
以上で動作説明を終了するが、上記の説明では、撮影場所での周囲騒音の音量レベルが通常よりも大きい場合について説明したが、騒音が小さくて静かな場所の場合では、静かな場所に相応しくない大き過ぎるシャッター音を鳴動させなくてすみ撮影場所に適した音量でシャッター音を鳴動させるようにすることができる。
【００７０】
なお、上記で説明した５段階の各レベルでの、騒音の音量レベルの値に加算される１０ｄＢ、１５ｄＢ、２０ｄＢ、２５ｄＢ、３０ｄＢの各デシベル値の値は、動作説明のために一例として挙げた数値であるが、これらの数値を実際の周囲環境の騒音レベルを考慮して適宜設定することが望ましい。
【実施例２】
【００７１】
次に、本発明の実施例について図面を参照して説明する。
【００７２】
実施例２では、上記実施例１で説明したように、予め定められたシャッター音の音量レベルの設定方法に従って、測定された周囲騒音の音量レベルに応じて撮影時のシャッター音の音量レベルの設定を行った後に、さらに、被写体との間の距離に応じたシャッター音の音量レベルの、予め定められた方法による制御を行ってから撮影時におけるシャッター音の音量レベルの設定を行うように構成された場合について説明する。
【００７３】
図２は、本発明のカメラ機能付き携帯端末装置のシャッター音の鳴動方式及びその方法の実施例２の場合の装置構成を示すブロック図である。
【００７４】
図２に示す本発明のカメラ機能付き携帯端末装置のシャッター音の鳴動方式及びその方法におけるカメラ機能付き携帯端末装置は、実施例１で示した図１に示すカメラ機能付き携帯端末装置の場合と比べると、撮像部１０１ａ及び制御部１１０ａの代わりに、撮像部１０１ｂ及び制御部１１０ｂを備えた構成である点が異なっている。
【００７５】
すなわち、撮像部１０１ｂは、被写体の人間との間の距離を測定し被写体距離情報１２８を出力する被写体距離情報取得手段１１４を備えている点で撮像部１０１ａと異なる。
【００７６】
また。制御部１１０ｂが制御部１１０ａと異なっている主な点は、制御部１１０ｂは、騒音レベル測定部１０７によって測定された周囲騒音の音量レベルの値に基づき制御部１１０ａと同様にシャッター音の音量レベルを算出した後、さらに撮像部１０１ｂからの被写体距離情報１２８に基づいて被写体との間の距離に応じ補正してシャッター音の音量レベルを算出し、被写体距離情報１２８に基づく補正処理の前のシャッター音の音量レベル及び補正後のシャッター音の音量レベルを、記憶部１１１にシャッター音レベル設定情報１２７及びシャッター音レベル設定情報１２９として格納して設定し、撮影の際に被写体との間の距離を考慮する場合にはこの補正後の設定値を使用してスピーカ駆動回路に音量設定信号１３０を出力することができるようの構成された点である。
【００７７】
上記に述べたこと以外では、図２に示す本発明のカメラ機能付き携帯端末装置のシャッター音の鳴動方式及びその方法におけるカメラ機能付き携帯端末装置の装置構成は、図１に示すカメラ機能付き携帯端末装置のシャッター音の鳴動方式及びその方法の場合の装置構成と同様である。
【００７８】
従って、図２に示す本発明のカメラ機能付き携帯端末装置の全体的動作の説明は、図１に示すカメラ機能付き携帯端末装置についての、図３、図４、図５及び図６を参照しての動作説明の場合と同様であるので省略する。
【００７９】
なお、図２に示す本発明のカメラ機能付き携帯端末装置の動作が、図１に示すカメラ機能付き携帯端末装置の動作と異なる主な点は、図３に示すステップＳ５でのシャッター音の音量レベルの算出動作、ステップＳ６でのシャッター音の音量レベルの設定動作、及びステップＳ８での設定されたシャッター音の音量レベルに基づきシャッター音を鳴動させる動作であるので、図２に示す本発明のカメラ機能付き携帯端末装置のシャッター音の鳴動方式及びその方法の場合におけるステップＳ５でのシャッター音の音量レベルの算出動作及びステップＳ６での設定動作の説明を下記に行う。
【００８０】
図１に示すカメラ機能付き携帯端末装置の場合は、ステップＳ５で、制御部１１０ａが騒音レベル測定部１０７により測定された周囲騒音の音量レベルに基づいてシャッター音の音量レベルの算出を行い、算出されたシャッター音の音量レベルの設定値がステップＳ６で、記憶部１１１にシャッター音レベル設定情報１２７として格納されるとともに、操作表示部１１３に表示されるが、これに対して図２に示すカメラ機能付き携帯端末装置の場合は、ステップＳ５で、制御部１１０ｂは、制御部１１０ａと同様に周囲騒音の音量レベルに基づいてシャッター音の音量レベルの設定値を算出する他に、算出された上記シャッター音の音量レベルの設定値に対して、さらに、撮像部１０１ｂからの被写体距離情報１２８に基づいた被写体との間の距離に応じての補正処理を行って、被写体との間の距離に応じての補正処理が行われたシャッター音の音量レベルの設定値を算出する。なお、上記補正処理は被写体との間の距離が大きくなるのに応じてシャッター音の音量レベルを大きくするように行われる。
【００８１】
そして、制御部１１０ｂはステップＳ６で、被写体距離情報１２８に基づく補正処理の前のシャッター音の音量レベル及び補正後のシャッター音の音量レベルを、記憶部１１１にシャッター音レベル設定情報１２７及びシャッター音レベル設定情報１２９として格納して設定するとともに、シャッター音レベル設定情報１２７が示すシャッター音レベルを操作表示部１１３に表示し、また、ステップ８での撮影の際のシャッター音の鳴動時のシャッター音レベルが、被写体との間の距離を考慮しないシャッター音レベル設定情報１２７が示すシャッター音レベルか、または被写体との間の距離を考慮したシャッター音レベル設定情報１２９が示すシャッター音レベルかを示す情報を操作表示部１１３に表示する。シャッター音レベル設定情報１２９が示すシャッター音レベルが操作表示部１１３に表示されているときは、制御部１１０ｂはステップ８での撮影の際のシャッター音の鳴動を、シャッター音レベル設定情報１２９が示すシャッター音レベルで鳴動させる。
【００８２】
なお、上述した被写体との間の距離に応じたシャッター音の音量レベルの、予め定められた方法の制御の一例として、例えば、予め撮影時の被写体との間の標準距離を設定しておき、この設定された標準距離での、周囲騒音の音量レベルに基づいたシャッター音の音量レベルの設定値を算出してから、被写体との間の距離が上記標準距離より遠くなる程、シャッター音の音量レベルの設定値を大きい値に設定し、反対に被写体との間の距離が上記標準距離より近くなる程、シャッター音の音量レベルの設定値を小さい値に設定するように構成してもよい。
【００８３】
また、上記の図２に示す本発明のカメラ機能付き携帯端末装置のシャッター音の鳴動方式及びその方法についての動作説明では、制御部１１０ｂによる被写体との間の距離に応じたシャッター音の音量レベルの補正処理の前及び補正処理後に得られるそれぞれのシャッター音の音量レベルの値を設定値とするシャッター音レベル設定情報１２７及びシャッター音レベル設定情報１２９を記憶部１１１に格納しておき、シャッターボタンが押下されたとき、これらの情報を制御部１１０ｂが記憶部１１１からシャッター音の音量レベルの設定値として読み出してスピーカ駆動回路１０９にシャッター音レベルの設定値を出力することで説明したが、図２に示すカメラ機能付き携帯端末装置の制御部１１０ｂが、記憶部１１１から読み出したシャッター音レベル設定情報１２７が示すシャッター音レベルの設定値に対してさらに、撮像部１０１ｂからの被写体距離情報１２８に基づいた被写体との間の距離に応じての、予め定められた方法に基づいて補正処理の動作を行い、被写体との間の距離に応じたシャッター音の音量レベルの補正を行うというようにしてもよい。
【図面の簡単な説明】
【００８４】
【図１】本発明のカメラ機能付き携帯端末装置のシャッター音の鳴動方式及びその方法における実施例１の場合の装置構成の一例を示すブロック図である。
【図２】本発明のカメラ機能付き携帯端末装置のシャッター音の鳴動方式及びその方法における実施例２の場合の装置構成の一例を示すブロック図である。
【図３】図４とともに、図１及び図２に示す本発明のカメラ機能付き携帯端末装置のシャッター音の鳴動方式及びその方法における動作の一例を示す流れ図である。
【図４】図３とともに、図１及び図２に示す本発明のカメラ機能付き携帯端末装置のシャッター音の鳴動方式及びその方法における動作の一例を示す流れ図である。
【図５】図１に示す本発明のカメラ機能付き携帯端末装置のシャッター音の鳴動方式及びその方法における騒音レベルのランク付け一例を示す説明図である。
【図６】本発明のカメラ機能付き携帯端末装置のシャッター音の鳴動方式及びその方法において測定された周囲騒音の音量レベルに基づいてシャッター音の音量レベルの設定値を決める手順動作の一例を示す流れ図である。
【符号の説明】
【００８５】
１０１ａ，１０１ｂ    撮像部
１０２    シャッターボタン
１０３    シャッターボタン押下検出部
１０４    マイク部
１０５    切替回路
１０６    音声通話回路
１０７    騒音レベル測定部
１０８    スピーカ
１０９    スピーカ駆動回路
１１０ａ，１１０ｂ    制御部
１１１    記憶部
１１２    騒音レベル測定時刻指示手段
１１３    操作表示部
１１４    被写体距離情報取得手段
１２０    シャッターボタン押下信号
１２１    シャッターボタン押下検出信号
１２２    撮影動作駆動信号
１２３    影像信号
１２４    音声信号
１２５    騒音信号
１２６    測定騒音レベル情報
１２７    シャッター音レベル設定情報
１２８    被写体距離情報
１２９    シャッター音レベル設定情報
１３０    音量レベル指定信号
１３１    騒音レベル測定指示信号
１３２    切替接続制御信号
【図１】
2005084628.tif 000003
【図２】
2005084628.tif 000004
【図３】
2005084628.tif 000005
【図４】
2005084628.tif 000006
【図５】
2005084628.tif 000007
【図６】
2005084628.tif 000008